(57)【要約】  ビルディング構造のための隔壁は支持枠及び複数のねじにより支持枠に固定された石膏ボードを含む。その石膏ボードは石膏に対し少なくとも１質量％の量でその中に埋め込まれた繊維だけでなく、石膏に対し少なくとも１質量％の量で存在するポリマー添加剤を有する石膏マトリックスを含む。支持枠は複数の細長い木材を含み、かつ最も近い隣接ねじの平均間隔が400mm より大きい。【選択図】          図１
2017533360.tif 000002
【特許請求の範囲】
【請求項１】
ビルディング構造のための隔壁であって、その隔壁は支持枠及び複数のねじにより支持枠に固定された少なくとも一つの石膏ボードを含み、
その石膏ボードは石膏に対し少なくとも１質量％の量でその中に埋め込まれた繊維を有する石膏マトリックスを含み、その石膏マトリックスは更に石膏に対し少なくとも１質量％の量で存在するポリマー添加剤を含み、
支持枠は複数の細長い木材を含み、かつ
最も近い隣接ねじの平均間隔が400mm より大きいことを特徴とする前記隔壁。
【請求項２】
最も近い隣接ねじの平均間隔が500mm より大きい、請求項１記載の隔壁。
【請求項３】
最も近い隣接ねじの平均間隔が550mm より大きい、請求項１又は２記載の隔壁。
【請求項４】
繊維が石膏に対し少なくとも３質量％の量で石膏マトリックス中に存在する、請求項１から３のいずれか１項記載の隔壁。
【請求項５】
ポリマー添加剤が石膏に対し少なくとも３質量％の量で存在する、請求項１から４のいずれか１項記載の隔壁。
【請求項６】
ポリマー添加剤が石膏に対し少なくとも５質量％の量で存在する、請求項５記載の隔壁。
【請求項７】
繊維が石膏に対し約３質量％の量で存在し、かつポリマー添加剤が石膏に対し約５質量％の量で存在する、請求項１から６のいずれか１項記載の隔壁。
【請求項８】
石膏ボードが支持枠と直接接触している、請求項１から７のいずれか１項記載の隔壁。
【請求項９】
ねじの少なくとも一部が石膏ボードの周辺付近に分布され、石膏ボードの周辺に配置された木材とかみ合う、請求項１から８のいずれか１項記載の隔壁。
【請求項１０】
少なくとも一つのねじが石膏ボードの周辺から位置を変えられる石膏ボードの内部領域に配置され、石膏ボードの内部領域と接触する中央木材とかみ合い、中央木材に沿って配置された最も近い隣接ねじの平均距離が600mm より大きい、請求項１から９のいずれか１項記載の隔壁。
【請求項１１】
中央木材に沿って配置された最も近い隣接ねじの平均距離が800mm より大きい、請求項１０記載の隔壁。
【請求項１２】
中央木材に沿って配置された最も近い隣接ねじの平均距離が1000mmより大きい、請求項１１記載の隔壁。
【発明の詳細な説明】
【技術分野】
【０００１】
本発明は改良された音響性能を有する木枠隔壁、特に石膏ボードクラッディングを有する木枠隔壁の分野に関する。
【背景技術】
【０００２】
石膏ボードクラッディングを有する木材スタッド隔壁は均等のクラッディングを有する金属スタッド隔壁より悪い音響性能を示すと考えられる。
【発明の概要】
【発明が解決しようとする課題】
【０００３】
隔壁の性能のその他の特徴に悪影響を有しないで、木材スタッド隔壁の音響性能を改良することが望ましい。
【課題を解決するための手段】
【０００４】
驚くことに、クラッディングとして使用される石膏ボードが比較的高いレベルの繊維及びポリマー添加剤を含む場合、石膏クラッディングを木枠に接合する固定ねじの数が隔壁の音響性能を改良するように減少し得るとともに、難燃性が許容し得るレベルで維持されることが見い出された。この結果は反直感的である。何とならば、固定ねじの数の減少は難燃性のかなりの低下を不可避にもとらすと従来考えられていたからである。
それ故、第一の局面において、本発明はビルディング構造のための隔壁を提供し、その隔壁は支持枠及び複数のねじにより支持枠に固定された少なくとも一つの石膏ボードを含み、
その石膏ボードは石膏に対し少なくとも１質量％の量でその中に埋め込まれた繊維を有する石膏マトリックスを含み、その石膏マトリックスは更に石膏に対し少なくとも１質量％の量で存在するポリマー添加剤を含み、
支持枠は複数の細長い木材を含み、かつ
最も近い隣接ねじの平均間隔が400mm より大きい。
【図面の簡単な説明】
【０００５】
【図１】本発明の第一の局面の隔壁の実施態様の略正面図を示す。クラッディングが枠の詳細を示すために透明にされている。
【図２】本発明の例示の例の隔壁の略正面図を示す。クラッディングが枠の詳細を示すために透明にされている。
【図３】実施例１と比較例１についての音響試験の結果を示すグラフである。
【発明を実施するための形態】
【０００６】
最も近い隣接ねじの平均間隔が500mm より大きく、好ましくは550mm より大きいことが好ましい。
ねじの数を減少することにより、隔壁の設置コストがまた減少される。
典型的には、ねじの少なくとも一部が石膏ボードの周辺付近に分布され、石膏ボードの周辺に配置された木材とかみ合う。
一般に、少なくとも一つのねじが石膏ボードの中央領域に配置され、石膏ボードの周辺から位置を換えられ、石膏ボードの中央領域に沿って配置された木材とかみ合い、石膏ボードの中央領域に沿って配置された最も近い隣接ねじの平均距離が600mm より大きい。
石膏ボードの中央領域に沿って配置された最も近い隣接ねじの平均距離が800mm より大きく、好ましくは1000mmより大きいことが好ましい。
繊維が石膏に対し少なくとも３質量％、更に好ましくは少なくとも５質量％の量で石膏マトリックス中に存在することが好ましい。
ポリマー添加剤が石膏に対し少なくとも３質量％、更に好ましくは少なくとも５質量％の量で存在することが好ましい。
典型的には、繊維がガラス繊維である。
典型的には、ポリマー添加剤が澱粉又はポリ酢酸ビニルの一種である。
石膏ボードが支持枠と直接接触しており、即ち、接着剤が石膏ボードを支持枠に結合するのに使用されていないことが好ましい。石膏ボードが一面又は両面にライナーを有する石膏コアーを含んでもよい。その場合には、ライナーが典型的には支持枠と直接接触している。
本発明が今図面を参照して実施例により説明されるであろう。
【実施例】
【０００７】
実施例１
試験標本を木枠、絶縁材及び石膏ボードからつくった。
木枠はその間に延びる63mm x 38mm の木スタッドにより連結された63mm x 38mm のヘッドレール及びベースレールからなっていた。ヘッドレールとベースレールの間の距離は2400mmであり、一方、木スタッドを600mm の間隔で隔置した。
65mmの絶縁材をスタッドキャビティ内に入れた。
枠を下記の特性を有するボードの単層で両側で張り合わせた。
・３質量％の6mm のガラス繊維及び５質量％のTate & Lyle からのMerifilm澱粉を含む石膏コアー、及び
・ペーパーライナー。
ボードを調製するのに使用された化粧漆くいスラリーは0.7 の水ゲージ（即ち、水対化粧漆くいの質量比）を有していた。
ボードは12.5mmの厚さ及び約12kg/m2 の質量を有していた。ボード寸法は1200mmx 2400mmであった。
ボードを図１に示されたように枠に固定した。図１を参照して、枠が上部レール10及び下部レール12、二つの横スタッド14a、b 並びに中央スタッド16を含んでいた。
ボード20を上部レール10及び下部レール12並びに横スタッド14a、b に沿って600mm の間隔で隔置され、かつ中央スタッド16に沿って1200mmの間隔で隔置されるねじ22により枠に固定する。
【０００８】
比較例１
試験標本を木枠、絶縁材及び石膏ボードからつくった。
木枠はその間に延びる63mm x 38mm の木スタッドにより連結された63mm x 38mm のヘッドレール及びベースレールからなっていた。ヘッドレールとベースレールの間の距離は2400mmであり、一方、木スタッドを600mm の間隔で隔置した。
65mmの絶縁材をスタッドキャビティ内に入れた。
枠を下記の特性を有するボードの単層で両側で張り合わせた。
・３質量％の6mm のガラス繊維及び５質量％のTate & Lyle からのMerifilm澱粉を含む石膏コアー、及び
・ペーパーライナー。
ボードを調製するのに使用された化粧漆くいスラリーは0.7 の水ゲージ（即ち、水対化粧漆くいの質量比）を有していた。
ボードは12.5mmの厚さ及び約12kg/m2 の質量を有していた。ボード寸法は1200mmx 2400mmであった。
ボードを図２に示されたように枠に固定した。図２を参照して、枠が上部レール10’ 及び下部レール12’ 、二つの横スタッド14’a、b 並びに中央スタッド16’ を含んでいた。
ボード20’ を上部レール10’ 及び下部レール12’ 並びに横スタッド14’a、b に沿って300mm の間隔で隔置され、かつ中央スタッド16’ に沿って300mm の間隔で隔置されるねじ22’ により枠に固定する。
音響試験
音響試験をBS EN ISO 10140-2:2010に従って行なった。結果を図３に示す。
結果をISO 717-1:1997 に示されたように処理し、これらの計算の結果は実施例１について42のRw値であり、また比較例１について39のRw値であった。
燃焼試験
燃焼試験を規格BS EN 1364-1 及びBS 476: パート22に従って行なった。
その規格の要件は実施例１及び比較例１の両方について満たされると示された。
【符号の説明】
【０００９】
１０−上部レール
１２−下部レール
１４ａ、ｂ−横スタッド
１６−中央スタッド
２２−ねじ
【図１】
2017533360.tif 000003
【図２】
2017533360.tif 000004
【図３】
2017533360.tif 000005
【国際調査報告】
2017533360.tif 000006
2017533360.tif 000007
2017533360.tif 000008